【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
複数のデバイスを初期化するための起動ファイルを記憶する第１記憶手段と、
前記起動ファイルを使って前記複数のデバイスが初期化された時点における前記複数のデバイスの状態を示すスナップショットイメージを記憶する第２記憶手段と、
前記第２記憶手段に前記スナップショットイメージが記憶されていない場合に前記起動ファイルを使って第１起動処理を実行し、前記第２記憶手段に前記スナップショットイメージが記憶される場合に前記スナップショットイメージを使って第２起動処理を実行する、制御手段と、
前記制御手段による起動処理の実行の後、前記複数のデバイスに関わる前記起動ファイルの設定変更を受け付ける受付手段と、
前記受付手段が前記起動ファイルの変更設定を受け付けた場合に、前記第１記憶手段に記憶された前記起動ファイルを変更する変更手段と、
前記第１記憶手段に記憶された前記起動ファイルが前記変更手段によって変更されたかどうかを判断する判断手段と、
前記起動ファイルが変更されたと前記判断手段が判断した場合、前記第２記憶手段に記憶された前記スナップショットイメージを削除する削除手段と、
を備えることを特徴とする画像形成装置。
【請求項２】
前記画像形成装置の電源投入時に、前記第２記憶手段にスナップショットイメージが記憶されているかどうかを判別する判別手段、をさらに備え、
前記制御手段は、
前記判別手段によって前記スナップショットイメージが記憶されていると判別された場合は、前記第２記憶手段から前記スナップショットイメージをメモリに読み出して前記第２起動処理を実行し、
前記判別手段によって前記スナップショットイメージが記憶されていないと判別された場合は、前記第１記憶手段から前記起動ファイルをメモリに読み出して前記第１起動処理を実行する、ことを特徴とする請求項１に記載の画像形成装置。
【請求項３】
前記複数のデバイスは、表示装置、プリンタ装置、スキャナ装置、およびファクシミリ装置の少なくとも１つを含む、ことを特徴とする請求項１又は２に記載の画像形成装置。
【請求項４】
前記起動ファイルは、表示装置に表示する初期設定画面を特定するためのファイルである、ことを特徴とする請求項１乃至３の何れか１項に記載の画像形成装置。
【請求項５】
前記第２記憶手段は、不揮発性のメモリによって構成される、ことを特徴とする請求項１乃至４の何れか１項に記載の画像形成装置。
【請求項６】
前記画像形成装置のシャットダウン処理を実行するシャットダウン手段をさらに備え、
前記制御手段は、前記シャットダウン手段による前記シャットダウン処理の後に、前記第１起動処理または前記第２起動処理を実行する、ことを特徴とする請求項１乃至５の何れか１項に記載の画像形成装置。
【請求項７】
前記シャットダウンは、ＡＣＰＩ−Ｓ３で特定されるモードに従う、ことを特徴とする請求項６に記載の画像形成装置。
【請求項８】
前記第２記憶手段は、前記変更手段によって変更された前記起動ファイルを使って前記複数のデバイスが移動された時点における前記複数のデバイスの状態を示す新たなスナップショットイメージを記憶し、
前記制御手段は、前記第２記憶手段に記憶される前記新たなスナップショットイメージを使って前記第２起動処理を実行する、ことを特徴とする請求項１乃至７の何れか１項に記載の画像形成装置。
【請求項９】
複数のデバイスを初期化するための起動ファイルを記憶する第１記憶手段と、前記起動ファイルを使って前記複数のデバイスが初期化された時点における前記複数のデバイスの状態を示すスナップショットイメージを記憶する第２記憶手段と、を備える画像形成装置の起動制御方法であって、
前記第２記憶手段に前記スナップショットイメージが記憶されていない場合に前記起動ファイルを使って第１起動処理を実行し、前記第２記憶手段に前記スナップショットイメージが記憶される場合に前記スナップショットイメージを使って第２起動処理を実行する、制御工程と、
前記制御工程による起動処理の実行の後、前記複数のデバイスに関わる前記起動ファイルの設定変更を受け付ける受付工程と、
前記受付工程が前記起動ファイルの変更設定を受け付けた場合に、前記第１記憶手段に記憶された前記起動ファイルを変更する変更工程と、
前記第１記憶手段に記憶された前記起動ファイルが前記変更工程によって変更されたかどうかを判断する判断工程と、
前記起動ファイルが変更されたと前記判断工程が判断した場合、前記第２記憶手段に記憶された前記スナップショットイメージを削除する削除工程と、
を備えることを特徴とする画像形成装置の起動制御方法。
【請求項１０】
前記画像形成装置の電源投入時に、前記第２記憶手段にスナップショットイメージが記憶されているかどうかを判別する判別工程、をさらに備え、
前記制御工程は、
前記判別工程によって前記スナップショットイメージが記憶されていると判別された場合は、前記第２記憶手段から前記スナップショットイメージをメモリに読み出して前記第２起動処理を実行し、
前記判別工程によって前記スナップショットイメージが記憶されていないと判別された場合は、前記第１記憶手段から前記起動ファイルをメモリに読み出して前記第１起動処理を実行する、ことを特徴とする請求項９に記載の画像形成装置の起動制御方法。
【請求項１１】
前記複数のデバイスは、表示装置、プリンタ装置、スキャナ装置、およびファクシミリ装置の少なくとも１つを含む、ことを特徴とする請求項９又は１０に記載の画像形成装置の起動制御方法。
【請求項１２】
前記起動ファイルは、表示装置に表示する初期設定画面を特定するためのファイルである、ことを特徴とする請求項９乃至１１の何れか１項に記載の画像形成装置の起動制御方法。
【請求項１３】
前記第２記憶手段は、不揮発性のメモリによって構成される、ことを特徴とする請求項９乃至１２の何れか１項に記載の画像形成装置の起動制御方法。
【請求項１４】
前記画像形成装置のシャットダウン処理を実行するシャットダウン工程をさらに備え、
前記制御工程は、前記シャットダウン工程による前記シャットダウン処理の後に、前記第１起動処理または前記第２起動処理を実行する、ことを特徴とする請求項９乃至１３の何れか１項に記載の画像形成装置の起動制御方法。
【請求項１５】
前記シャットダウンは、ＡＣＰＩ−Ｓ３で特定されるモードに従う、ことを特徴とする請求項１４に記載の画像形成装置の起動制御方法。
【請求項１６】
前記第２記憶手段は、前記変更工程によって変更された前記起動ファイルを使って前記複数のデバイスが移動された時点における前記複数のデバイスの状態を示す新たなスナップショットイメージを記憶し、
前記制御工程は、前記第２記憶手段に記憶される前記新たなスナップショットイメージを使って前記第２起動処理を実行する、ことを特徴とする請求項９乃至１５の何れか１項に記載の画像形成装置の起動制御方法。
【請求項１７】
複数のデバイスを初期化するための起動ファイルを記憶する第１記憶手段と、前記起動ファイルを使って前記複数のデバイスが初期化された時点における前記複数のデバイスの状態を示すスナップショットイメージを記憶する第２記憶手段と、を備える画像形成装置を制御するコンピュータを、
前記第２記憶手段に前記スナップショットイメージが記憶されていない場合に前記起動ファイルを使って第１起動処理を実行し、前記第２記憶手段に前記スナップショットイメージが記憶される場合に前記スナップショットイメージを使って第２起動処理を実行する、制御手段と、
前記制御手段による起動処理の実行の後、前記複数のデバイスに関わる前記起動ファイルの設定変更を受け付ける受付手段と、
前記受付手段が前記起動ファイルの変更設定を受け付けた場合に、前記第１記憶手段に記憶された前記起動ファイルを変更する変更手段と、
前記第１記憶手段に記憶された前記起動ファイルが前記変更手段によって変更されたかどうかを判断する判断手段と、
前記起動ファイルが変更されたと前記判断手段が判断した場合、前記第２記憶手段に記憶された前記スナップショットイメージを削除する削除手段と、
して機能させるためのプログラム。
【請求項１８】
複数のデバイスを初期化するための起動ファイルを記憶する第１記憶手段と、前記起動ファイルを使って前記複数のデバイスが初期化された時点における前記複数のデバイスの状態を示すスナップショットイメージを記憶する第２記憶手段と、を備える画像形成装置を制御するコンピュータを、
前記第２記憶手段に前記スナップショットイメージが記憶されていない場合に前記起動ファイルを使って第１起動処理を実行し、前記第２記憶手段に前記スナップショットイメージが記憶される場合に前記スナップショットイメージを使って第２起動処理を実行する、制御手段と、
前記制御手段による起動処理の実行の後、前記複数のデバイスに関わる前記起動ファイルの設定変更を受け付ける受付手段と、
前記受付手段が前記起動ファイルの変更設定を受け付けた場合に、前記第１記憶手段に記憶された前記起動ファイルを変更する変更手段と、
前記第１記憶手段に記憶された前記起動ファイルが前記変更手段によって変更されたかどうかを判断する判断手段と、
前記起動ファイルが変更されたと前記判断手段が判断した場合、前記第２記憶手段に記憶された前記スナップショットイメージを削除する削除手段と、
して機能させるためのプログラムを格納したコンピュータが読み出し可能な記憶媒体。
【手続補正２】
【補正対象書類名】明細書
【補正対象項目名】発明の名称
【補正方法】変更
【補正の内容】
【発明の名称】画像形成装置、画像形成装置の起動制御方法、プログラム及び記憶媒体
【手続補正３】
【補正対象書類名】明細書
【補正対象項目名】０００１
【補正方法】変更
【補正の内容】
【０００１】
本発明は、画像形成装置、画像形成装置の起動制御方法、プログラム及び記憶媒体に関する。
【手続補正４】
【補正対象書類名】明細書
【補正対象項目名】０００７
【補正方法】変更
【補正の内容】
【０００７】
上記目的を達成する本発明の画像形成装置は以下に示す構成を備える。
複数のデバイスを初期化するための起動ファイルを記憶する第１記憶手段と、前記起動ファイルを使って前記複数のデバイスが初期化された時点における前記複数のデバイスの状態を示すスナップショットイメージを記憶する第２記憶手段と、前記第２記憶手段に前記スナップショットイメージが記憶されていない場合に前記起動ファイルを使って第１起動処理を実行し、前記第２記憶手段に前記スナップショットイメージが記憶される場合に前記スナップショットイメージを使って第２起動処理を実行する、制御手段と、前記制御手段による起動処理の実行の後、前記複数のデバイスに関わる前記起動ファイルの設定変更を受け付ける受付手段と、前記受付手段が前記起動ファイルの変更設定を受け付けた場合に、前記第１記憶手段に記憶された前記起動ファイルを変更する変更手段と、  前記第１記憶手段に記憶された前記起動ファイルが前記変更手段によって変更されたかどうかを判断する判断手段と、前記起動ファイルが変更されたと前記判断手段が判断した場合、前記第２記憶手段に記憶された前記スナップショットイメージを削除する削除手段と、を備えることを特徴とする。